(57)【要約】  監視装置は、電力系統に用いられる監視装置であって、電池からの電力供給を受けて動作し、情報を転送する通信部と、電池からの電力供給を受けて動作し、他の前記監視装置と時刻同期するための同期処理を行う時刻同期部と、電池からの電力供給を受けて動作し、前記通信部への電力供給の開始および停止を制御する電源制御部とを備え、前記電源制御部は、前記通信部への電力供給を開始し、かつ第１の所定時間経過後に前記電力供給を停止する第１電源制御を定期的に行う。
2020021802.tif 000002
【特許請求の範囲】
【請求項１】
電力系統に用いられる監視装置であって、
電池からの電力供給を受けて動作し、情報を転送する通信部と、
電池からの電力供給を受けて動作し、他の前記監視装置と時刻同期するための同期処理を行う時刻同期部と、
電池からの電力供給を受けて動作し、前記通信部への電力供給の開始および停止を制御する電源制御部とを備え、
前記電源制御部は、前記通信部への電力供給を開始し、かつ第１の所定時間経過後に前記電力供給を停止する第１電源制御を定期的に行う、監視装置。
【請求項２】
前記監視装置は、電池からの電力供給を受けて動作し、かつ計測結果を示す計測情報を前記情報として出力するセンサをさらに備えるか、または前記センサと接続され、
前記電源制御部は、前記センサへの電力供給の開始および停止を制御し、
前記電源制御部は、前記センサへの電力供給を開始し、かつ第２の所定時間経過後に前記電力供給を停止する第２電源制御を行う、請求項１に記載の監視装置。
【請求項３】
前記電源制御部は、前記第１電源制御によって前記通信部への電力供給が行われている期間の一部または全部において前記第２電源制御を行う、請求項２に記載の監視装置。
【請求項４】
前記監視装置は、電池からの電力供給を受けて動作し、かつ計測結果を示す計測情報を前記情報として出力するセンサをさらに備えるか、または前記センサと接続され、
前記電源制御部は、前記通信部が所定情報を受信した場合、前記第１電源制御を停止して前記通信部への電力供給を継続的に行い、かつ前記所定情報に基づく時刻において前記センサへの電力供給を開始する制御を行う、請求項１から請求項３のいずれか１項に記載の監視装置。
【請求項５】
前記電源制御部は、前記所定情報に基づく時刻において前記通信部および前記センサへの電力供給を停止する制御を行い、前記第１電源制御を再開する、請求項４に記載の監視装置。
【請求項６】
前記時刻同期部に対して、前記電源制御部とは別に電力供給制御を行うことが可能であり、
前記電源制御部は、前記第１電源制御によって前記通信部への電力供給が行われている期間において、前記時刻同期部への電力供給を開始し、かつ前記同期処理が終了すると前記時刻同期部への電力供給を停止する制御を行う、請求項１から請求項５のいずれか１項に記載の監視装置。
【請求項７】
前記監視装置は、さらに、
前記同期処理が行われた同期処理時刻を保持する保持部を備え、
前記電源制御部は、前記同期処理時刻から所定時間経過している場合に前記時刻同期部への電力供給を開始する制御を行う、請求項６に記載の監視装置。
【発明の詳細な説明】
【技術分野】
【０００１】
本発明は、監視装置に関する。
この出願は、２０１８年７月２５日に出願された日本出願特願２０１８−１３９４５７号を基礎とする優先権を主張し、その開示のすべてをここに取り込む。
【背景技術】
【０００２】
ネットワークシステムの一例として、たとえば、特許第６０４６４８０号公報（特許文献１）には、以下のような構成が開示されている。【０００３】
すなわち、ネットワークシステムは、送電線を架設する鉄塔列の各鉄塔に無線局を設置すると共に、少なくとも１台の該無線局に外部通信回線に接続可能な親局を接続して、これらの無線局により該鉄塔列に沿って、該無線局から該親局に、又は該親局から該無線局に、双方向に情報を順次中継可能であり、該無線局が、該鉄塔列の一方側から送られた該情報を記憶するための第１の通信用メモリと、該鉄塔列の他方側から送られた該情報を記憶するための第２の通信用メモリとを備え、該第１の通信用メモリに記憶された該情報を該他方側に中継し、該第２の通信用メモリに記憶された該情報を該一方側に中継する送電鉄塔保守情報無線ネットワークシステムにおいて、該無線局には個別に識別番号が付与されており、該情報の発信元になる該無線局が該情報に自局の該識別番号を付して送信するものであり、該親局が該無線局の該識別番号と、その無線局の設置されている該鉄塔に付与された鉄塔番号とを対応させた識別番号変換テーブルを有しており、該鉄塔に複数の送電線路が併架されていて、同一の該鉄塔に各送電線路に対応する複数の該鉄塔番号が付与され、該親局が、該識別番号変換テーブルに基づいて、該情報を発信した該無線局の識別番号を、各々の該送電線路に対応する複数の該鉄塔番号に変換する。親局は、携帯電話回線などの外部通信回線を介して、上位ホスト局と通信を行う。
【先行技術文献】
【特許文献】
【０００４】
【特許文献１】特許第６０４６４８０号公報
【発明の概要】
【０００５】
（１）本開示の監視装置は、電力系統に用いられる監視装置であって、電池からの電力供給を受けて動作し、情報を転送する通信部と、電池からの電力供給を受けて動作し、他の前記監視装置と時刻同期するための同期処理を行う時刻同期部と、電池からの電力供給を受けて動作し、前記通信部への電力供給の開始および停止を制御する電源制御部とを備え、前記電源制御部は、前記通信部への電力供給を開始し、かつ第１の所定時間経過後に前記電力供給を停止する第１電源制御を定期的に行う。
【０００６】
本開示の一態様は、このような特徴的な処理部を備える監視装置として実現され得るだけでなく、かかる特徴的な処理をステップとする監視方法として実現され得たり、かかるステップをコンピュータに実行させるためのプログラムとして実現され得る。また、本開示の一態様は、監視装置の一部又は全部を実現する半導体集積回路として実現され得たり、監視装置を含む監視システムとして実現され得る。
【図面の簡単な説明】
【０００７】
【図１】図１は、本発明の第１の実施の形態に係る監視システムの構成を示す図である。
【図２】図２は、本発明の第１の実施の形態に係る監視装置の構成を示す図である。
【図３】図３は、本発明の第１の実施の形態に係る監視装置による省電力モードにおける動作手順を定めたフローチャートである。
【図４】図４は、本発明の第１の実施の形態に係る監視システムによるイベント発生時モードにおける動作手順を定めたシーケンスである。
【図５】図５は、本発明の第１の実施の形態の変形例に係る監視装置の構成を示す図である。
【図６】図６は、本発明の第２の実施の形態に係る監視装置による電源制御の動作手順を定めたフローチャートである。
【発明を実施するための形態】
【０００８】
［本開示が解決しようとする課題］
たとえば、電力系統の電線に関する監視を行う監視装置が鉄塔に設置される場合、太陽光発電装置を電源として搭載すると多くのコストがかかり、また、送電線から監視装置への電力を供給することは困難である。
【０００９】
このため、監視装置に電池を搭載することが考えられる。電池の交換頻度を低くするために、監視装置の消費電力を効果的に抑えることができる技術が望まれる。
【００１０】
本開示は、上述の課題を解決するためになされたもので、その目的は、電力系統に用いられる監視装置であって、消費電力を効果的に抑えることができる監視装置を提供することである。
【００１１】
［本開示の効果］
本開示によれば、電力系統に用いられる監視装置であって、消費電力を効果的に抑えることができる。
【００１２】
［本願発明の実施形態の説明］
最初に、本発明の実施形態の内容を列記して説明する。
【００１３】
（１）本発明の実施の形態に係る監視装置は、電力系統に用いられる監視装置であって、電池からの電力供給を受けて動作し、情報を転送する通信部と、電池からの電力供給を受けて動作し、他の前記監視装置と時刻同期するための同期処理を行う時刻同期部と、電池からの電力供給を受けて動作し、前記通信部への電力供給の開始および停止を制御する電源制御部とを備え、前記電源制御部は、前記通信部への電力供給を開始し、かつ第１の所定時間経過後に前記電力供給を停止する第１電源制御を定期的に行う。
【００１４】
このように、無線通信部への電力供給を停止する制御を行う構成により、たとえば、待機電力を要するスリープモードで動作する場合と比較して、多くの消費電力を抑えることができる。また、互いに時刻同期が確立している複数の監視装置間において無線通信部への電力供給期間を合わせることができるため、各監視装置における無線通信部への電力供給期間が無駄に確保されることを抑制し、各監視装置からの情報を外部の装置へ到達させることができる。したがって、電力系統に用いられる監視装置において、消費電力を効果的に抑えることができる。
【００１５】
（２）好ましくは、前記監視装置は、電池からの電力供給を受けて動作し、かつ計測結果を示す計測情報を前記情報として出力するセンサをさらに備えるか、または前記センサと接続され、前記電源制御部は、前記センサへの電力供給の開始および停止を制御し、前記電源制御部は、前記センサへの電力供給を開始し、かつ第２の所定時間経過後に前記電力供給を停止する第２電源制御を行う。
【００１６】
このように、センサへの電力供給を停止する制御を行う構成により、より一層効果的に消費電力を抑えることができる。
【００１７】
（３）より好ましくは、前記電源制御部は、前記第１電源制御によって前記通信部への電力供給が行われている期間の一部または全部において前記第２電源制御を行う。
【００１８】
このような構成により、センサの計測結果を示す計測情報をリアルタイムに送信することができる。
【００１９】
（４）好ましくは、前記監視装置は、電池からの電力供給を受けて動作し、かつ計測結果を示す計測情報を前記情報として出力するセンサをさらに備えるか、または前記センサと接続され、前記電源制御部は、前記通信部が所定情報を受信した場合、前記第１電源制御を停止して前記通信部への電力供給を継続的に行い、かつ前記所定情報に基づく時刻において前記センサへの電力供給を開始する制御を行う。
【００２０】
このような構成により、たとえば落雷が予想される場合など、センサによる計測結果の必要性が高い状況において、センサへの電力供給を適切なタイミングで開始させることができる。
【００２１】
（５）より好ましくは、前記電源制御部は、前記所定情報に基づく時刻において前記無線通信部および前記センサへの電力供給を停止する制御を行い、前記第１電源制御を再開する。
【００２２】
このような構成により、たとえば落雷が予想される期間が経過した場合など、センサによる計測結果の必要性が低くなった状況において、センサへの電力供給を適切なタイミングで停止させ、再び消費電力を効果的に抑えることができる。
【００２３】
（６）好ましくは、前記時刻同期部に対して、前記電源制御部とは別に電力供給制御を行うことが可能であり、前記電源制御部は、前記第１電源制御によって前記無線通信部への電力供給が行われている期間において、前記時刻同期部への電力供給を開始し、かつ前記同期処理が終了すると前記時刻同期部への電力供給を停止する制御を行う。
【００２４】
このように、時刻同期部による同期処理が行われる期間を除く期間において時刻同期部への電力供給を停止する制御を行う構成により、より一層効果的に消費電力を抑えることができる。
【００２５】
（７）より好ましくは、前記監視装置は、さらに、前記同期処理が行われた同期処理時刻を保持する保持部を備え、前記電源制御部は、前記同期処理時刻から所定時間経過している場合に前記時刻同期部への電力供給を開始する制御を行う。
【００２６】
このような構成により、前回の同期処理から所定時間経過していない場合には、時刻同期部への電力供給を開始しないため、より一層効果的に消費電力を抑えることができる。
【００２７】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００２８】
＜第１の実施の形態＞
［構成および基本動作］
（監視システム）
図１は、本発明の第１の実施の形態に係る監視システムの構成を示す図である。
【００２９】
図１を参照して、監視システム３０１は、複数の監視装置１０１と、収集装置１５１と、管理装置１７１とを備える。
【００３０】
複数の監視装置１０１は、電力系統における異なる位置、たとえば、電力系統の保守に必要な情報を検出可能な複数の位置にそれぞれ設置される。具体的には、複数の監視装置１０１は、電力系統に用いられる複数の鉄塔２にそれぞれ設けられる。また、収集装置１５１は、たとえば、複数の鉄塔２のうちの１つである鉄塔２ａに設けられる。鉄塔２は、たとえば送電鉄塔である。以下、監視装置１０１から管理装置１７１への方向を「上り方向」と称し、管理装置１７１から監視装置１０１への方向を「下り方向」と称する。
【００３１】
監視装置１０１は、情報を転送する機能を有する。本明細書において、「転送」は、たとえば、情報を中継先へ中継すること、および、情報の送信元として情報を中継先へ送信することを含む。
【００３２】
具体的には、監視装置１０１は、「転送」として、たとえば、自己が他の監視装置１０１から受信した情報を当該他の監視装置１０１とは異なる他の監視装置１０１へ送信し、また、自己におけるセンサ１１１の計測結果を示す情報を他の監視装置１０１へ送信する。
【００３３】
詳細には、各監視装置１０１は、たとえば、送電設備等の電力系統の保守に用いられる情報を送信する。具体的には、たとえば、各監視装置１０１は、自己が設けられた鉄塔２に接続されている架空地線ＧＷにおける電荷量を計測し、計測結果を示す計測情報を送信する。
【００３４】
より詳細には、各監視装置１０１は、計測結果を示す計測情報を含む無線信号を、たとえば、ＩＥＥＥ８０２．１５．４の通信規格に従って、自己のＩＤを差出元として含み、上り方向において隣接する他の監視装置１０１のＩＤを宛先として含み、かつ計測情報を含むセンサパケットを生成する。そして、各監視装置１０１は、生成したセンサパケットを含む９２０ＭＨｚ帯の無線信号を送信する。
【００３５】
また、各監視装置１０１は、他の監視装置１０１から送信されたセンサパケットを転送する。より詳細には、各監視装置１０１は、他の監視装置１０１からセンサパケットを含む無線信号を受信し、受信した無線信号からセンサパケットを取得して無線信号に含め、上り方向において隣接する他の監視装置１０１へ送信する。
【００３６】
ここで、鉄塔２ａに設けられた監視装置１０１は、生成した無線信号を収集装置１５１へ送信する。また、当該監視装置１０１は、他の監視装置１０１から送信されたセンサパケットを含む無線信号を受信し、受信した無線信号からセンサパケットを取得して無線信号に含め、収集装置１５１へ送信する。
【００３７】
なお、各監視装置１０１は、隣接する他の監視装置１０１へ無線信号を送信する構成に限らず、たとえば、上り方向において自己の監視装置１０１の２つ隣の他の監視装置１０１へ無線信号を送信してもよい。
【００３８】
また、センサパケットの伝送ルートは、監視システム３０１における１または複数の監視装置１０１が故障した場合などにおいて、自動的または手動で変更されてもよい。
【００３９】
収集装置１５１は、複数の監視装置１０１からそれぞれ送信された複数のセンサパケットを転送する。より詳細には、収集装置１５１は、鉄塔２ａに設けられた監視装置１０１からセンサパケットを含む無線信号を受信し、受信した無線信号からセンサパケットを取得して無線信号に含め、管理装置１７１へ送信する。
【００４０】
管理装置１７１は、収集装置１５１から送信されたセンサパケットを受信し、受信したセンサパケットから差出元の監視装置１０１のＩＤおよび計測情報を取得し、取得した計測情報と監視装置１０１のＩＤとを対応付けて保存する。
【００４１】
また、管理装置１７１は、各種情報が格納されたパケットを生成し、生成したパケットを含む無線信号を収集装置１５１へ送信する。
【００４２】
収集装置１５１は、管理装置１７１から送信されたパケットを転送する。より詳細には、収集装置１５１は、管理装置１７１から送信された無線信号を受信し、受信した無線信号からパケットを取得して無線信号に含め、鉄塔２ａに設けられた監視装置１０１へ送信する。
【００４３】
鉄塔２ａに設けられた監視装置１０１は、収集装置１５１から送信されたパケットを転送する。より詳細には、当該監視装置１０１は、収集装置１５１から送信された無線信号を受信し、受信した無線信号からパケットを取得して無線信号に含め、下り方向において隣接する他の監視装置１０１へ送信する。
【００４４】
各監視装置１０１は、他の監視装置１０１から送信されたパケットを転送する。より詳細には、各監視装置１０１は、他の監視装置１０１からパケットを含む無線信号を受信し、受信した無線信号からパケットを取得して無線信号に含め、下り方向において隣接する他の監視装置１０１へ送信する。
【００４５】
なお、収集装置１５１および監視装置１０１は、受信したパケットが自己宛である場合、当該パケットを転送せずに処理する。
【００４６】
また、監視装置１０１は、鉄塔２に限らず、鉄塔２の周辺に設置されてもよいし、たとえば、送電線、架空地線ＧＷまたは地面等に設置されてもよい。
【００４７】
（監視装置）
図２は、本発明の第１の実施の形態に係る監視装置の構成を示す図である。
【００４８】
図２を参照して、監視装置１０１は、無線モジュール１０と、第１電源ＩＣ（Ｉｎｔｅｇｒａｔｅｄ  Ｃｉｒｃｕｉｔ）１１と、第２電源ＩＣ１２と、第３電源ＩＣ１３と、電池１４と、ＲＴＣ（Ｒｅａｌ  Ｔｉｍｅ  Ｃｌｏｃｋ）１５と、センサ１６と、時刻情報受信部１７とを備える。無線モジュール１０は、無線通信部２１と、時刻同期部２２と、電源制御部２３とを含む。
【００４９】
無線モジュール１０、ＲＴＣ１５、センサ１６および時刻情報受信部１７は、電池１４から供給された電力を用いて動作する。
【００５０】
第１電源ＩＣ１１は、たとえば、無線モジュール１０と電池１４との接続状態を切り替えるスイッチを含む。第２電源ＩＣ１２は、たとえば、センサ１６と電池１４との接続状態を切り替えるスイッチを含む。第３電源ＩＣ１３は、たとえば、時刻情報受信部１７と電池１４との接続状態を切り替えるスイッチを含む。
【００５１】
センサ１６は、計測結果を示す計測情報を出力する。具体的には、センサ１６は、たとえば、自己の監視装置１０１が設けられた鉄塔２に接続されている架空地線ＧＷにおける電荷量を計測し、計測結果を無線通信部２１へ出力する。
【００５２】
無線通信部２１は、情報を転送する。無線通信部２１が転送する情報は、たとえば、電池１４からの電力供給を受けて動作するセンサ１６の計測結果を示す計測情報または他の監視装置１０１から受信した計測情報である。
【００５３】
具体的には、無線通信部２１は、たとえば、センサ１６から出力された計測結果を示す計測情報を含む無線信号を生成し、生成した無線信号を１または複数の他の監視装置１０１を経由して収集装置１５１へ送信する。
【００５４】
また、無線通信部２１は、他の監視装置１０１から送信された、計測情報を含む無線信号を受信し、受信した無線信号を１または複数の他の監視装置１０１を経由して収集装置１５１へ送信する。なお、鉄塔２ａに設けられた監視装置１０１における無線通信部２１は、計測情報を含む無線信号を収集装置１５１へ送信する。
【００５５】
時刻情報受信部１７は、たとえば、ＧＰＳ（Ｇｌｏｂａｌ  Ｐｏｓｉｔｉｏｎｉｎｇ  Ｓｙｓｔｅｍ）衛星から送信された標準時刻情報、または標準電波送信所からの標準電波を受信し、受信した標準時刻情報を時刻同期部２２へ出力する。なお、時刻情報受信部１７は、標準時刻情報の代わりに、他の監視装置１０１から送信された時刻情報を受信してもよい。
【００５６】
時刻同期部２２は、時刻情報受信部１７から出力された標準時刻情報を受けて、当該標準時刻情報を用いてＲＴＣ１５の時刻を調整する同期処理を行う。各監視装置１０１における時刻同期部２２が対応のＲＴＣ１５の同期処理を行うことにより、複数の監視装置１０１間でＲＴＣ１５の時刻が同期する。
【００５７】
電源制御部２３は、通常時において、自己の監視装置１０１を省電力モードで動作させる制御を行う。より詳細には、電源制御部２３は、無線通信部２１への電力供給を開始し、かつ第１の所定時間経過後に無線通信部２１への電力供給を停止する第１電源制御を定期的に行う。
【００５８】
具体的には、電源制御部２３は、無線モジュール１０への電力供給の開始時刻（以下、「起動時刻」とも称する。）をＲＴＣ１５に設定する。そして、ＲＴＣ１５は、電源制御部２３により設定された起動時刻において、第１電源ＩＣ１１へ制御信号を出力する。第１電源ＩＣ１１は、ＲＴＣ１５から出力された制御信号を受けて、電池１４と無線モジュール１０とを接続することにより無線モジュール１０への電力供給を開始する。
【００５９】
そして、電源制御部２３は、起動時刻から所定時間経過後に、第１電源ＩＣ１１へ制御信号を出力する。第１電源ＩＣ１１は、電源制御部２３から出力された制御信号を受けて、電池１４と無線モジュール１０との接続を切断することにより無線モジュール１０への電力供給を停止する。
【００６０】
なお、電源制御部２３は、無線モジュール１０への電力供給の終了時刻（以下、「停止時刻」とも称する。）をＲＴＣ１５に設定する構成であってもよい。この場合、ＲＴＣ１５は、電源制御部２３により設定された停止時刻において、第１電源ＩＣ１１へ制御信号を出力することにより、無線モジュール１０への電力供給を停止する制御を行う。
【００６１】
また、電源制御部２３は、無線モジュール１０に含まれる構成に限らず、たとえば、ＲＴＣ１５に含まれてもよい。
【００６２】
また、電源制御部２３は、時刻情報受信部１７への電力供給の開始および停止を制御する。
【００６３】
より詳細には、電源制御部２３は、たとえば、無線モジュール１０への電力供給が行われている期間において、第３電源ＩＣ１３へ制御信号を出力する。第３電源ＩＣ１３は、電源制御部２３から出力された制御信号を受けて、電池１４と時刻情報受信部１７とを接続することにより時刻情報受信部１７への電力供給を開始する。また、電源制御部２３は、第３電源ＩＣ１３へ制御信号を出力したタイミングから所定時間経過後に第３電源ＩＣ１３へ制御信号を出力する。第３電源ＩＣ１３は、電源制御部２３から出力された制御信号を受けて、電池１４と時刻情報受信部１７との接続を切断することにより時刻情報受信部１７への電力供給を停止する。
【００６４】
また、電源制御部２３は、センサ１６への電力供給の開始および停止を制御する。より詳細には、電源制御部２３は、自己の監視装置１０１が後述する所定情報を受信した場合、当該所定情報に基づいて第２電源ＩＣ１２へ制御信号を出力する。第２電源ＩＣ１２は、電源制御部２３から出力された制御信号を受けて、電池１４とセンサ１６との接続状態を切り替えることによりセンサ１６への電力供給の開始または停止を行う。
【００６５】
ここで、再び図１を参照して、落雷または台風などのイベントの発生が予想される場合、気象庁等が管理する図示しない外部サーバが、管理装置１７１へイベント情報を送信する。ここでは、一例として、外部サーバが、落雷が予想される場合に、イベント情報として雷情報を管理装置１７１へ送信する場合について説明する。
【００６６】
雷情報は、落雷が予想されるエリア、および落雷が予想される期間などを示す。
【００６７】
管理装置１７１は、外部サーバから送信された雷情報を受信すると、たとえば、当該雷情報の示すエリアに含まれる複数の監視装置１０１のうち、鉄塔２ａから最も離れた鉄塔２に設けられた監視装置（以下、「最端監視装置」とも称する。）１０１へ所定情報を送信する。
【００６８】
具体的には、管理装置１７１は、監視装置１０１からの起動完了通知、すなわち監視装置１０１において無線モジュール１０への電力供給を開始した旨の通知を要求するための起動通知要求を、所定情報として送信する。
【００６９】
最端監視装置１０１、および収集装置１５１と最端監視装置１０１との間に位置するすべての監視装置１０１が起動している場合、管理装置１７１から送信された起動通知要求は最端監視装置１０１へ到達する。
【００７０】
この場合、最端監視装置１０１は、管理装置１７１からの起動通知要求を受信し、起動完了通知を１または複数の他の監視装置１０１および収集装置１５１経由で管理装置１７１へ送信する。
【００７１】
また、この場合、各監視装置１０１は、省電力モードからイベント発生時モードへ遷移する。
【００７２】
すなわち、再び図２を参照して、各監視装置１０１における電源制御部２３は、自己の監視装置１０１における無線通信部２１が起動通知要求を受信または転送した場合、第１電源制御を停止して無線通信部２１への電力供給を継続的に行う。
【００７３】
また、起動通知要求は、たとえば、各監視装置１０１におけるセンサ１６への電力供給の開始時刻および終了時刻を示す。センサ１６への電力供給の開始時刻および終了時刻は、それぞれ、雷情報の示す開始時刻および終了時刻と同じであってもよいし、異なる時刻であってもよい。
【００７４】
電源制御部２３は、たとえば、起動通知要求の示す開始時刻に基づいて、センサ１６への電力供給を開始する制御を行う。また、電源制御部２３は、たとえば、起動通知要求の示す終了時刻に基づいて、センサ１６への電力供給を停止する制御を行う。
【００７５】
なお、起動通知要求は、センサ１６への電力供給の開始時刻および終了時刻を示さない情報であってもよい。この場合、電源制御部２３は、たとえば、起動時刻から所定時間経過後にセンサ１６への電力供給を開始する制御を行い、センサ１６への電力供給の開始タイミングから第２の所定時間経過後にセンサ１６への電力供給を停止する第２電源制御を行う。第２の所定時間は、第１の所定時間と異なってもよいし、同じであってもよい。
【００７６】
また、管理装置１７１は、たとえば、最端監視装置１０１への起動通知要求の送信後、所定時間以内に最端監視装置１０１からの起動完了通知を受信できない場合、最端監視装置１０１へ起動通知要求を再送する。
【００７７】
また、管理装置１７１は、最端監視装置１０１、および収集装置１５１と最端監視装置１０１との間に位置する１または複数の監視装置１０１のすべてへ起動通知要求をマルチキャストする構成であってもよい。このような構成において、複数の監視装置１０１のうち、情報の送受信を行うことができない監視装置１０１が１つ以上存在する場合、管理装置１７１は、起動通知要求のマルチキャストを繰り返し行うことになる。
【００７８】
このような状態を避けるために、各監視装置１０１は、下り方向において、情報の送受信を行うことができない監視装置１０１の次段以降の監視装置１０１へ起動通知要求を送信してもよい。この場合、複数の監視装置１０１のうち、起動通知要求を受信した１または複数の監視装置１０１は、起動完了通知を管理装置１７１へ送信し、イベント発生時モードへ遷移する。
【００７９】
なお、複数の監視装置１０１が起動完了通知を管理装置１７１へ送信する構成と比較して、最端監視装置１０１のみが起動完了通知を管理装置１７１へ送信する構成の方が、起動完了通知が重複して伝送されることを防ぐことができるため、好ましい。
【００８０】
また、起動通知要求は、さらに、落雷が予想されるエリアを示してもよい。この場合、イベント発生時モードへ遷移する１または複数の監視装置１０１のうち、起動通知要求の示すエリアに含まれない１または複数の監視装置１０１の各々における電源制御部２３は、センサ１６への電力供給の開始および停止の制御を行わない構成であってもよい。
【００８１】
［動作の流れ］
監視システム３０１における各装置は、メモリを含むコンピュータを備え、当該コンピュータにおけるＣＰＵ等の演算処理部は、以下のフローチャートおよびシーケンスの各ステップの一部または全部を含むプログラムを当該メモリから読み出して実行する。これら複数の装置のプログラムは、それぞれ、外部からインストールすることができる。これら複数の装置のプログラムは、それぞれ、記録媒体に格納された状態で流通する。
【００８２】
（省電力モードにおける動作手順）
図３は、本発明の第１の実施の形態に係る監視装置による省電力モードにおける動作手順を定めたフローチャートである。
【００８３】
図３を参照して、まず、ＲＴＣ１５は、電源制御部２３により設定された起動時刻において、第１電源ＩＣ１１へ制御信号を出力することにより、無線モジュール１０への電力供給を開始する制御を行う。これにより、無線モジュール１０における、無線通信部２１、時刻同期部２２および電源制御部２３は、電池１４からの電力供給を受けて、監視装置１０１が全体的に起動する（ステップＳ１１）。
【００８４】
次に、電源制御部２３は、次の起動時刻をＲＴＣ１５に設定する（ステップＳ１２）。なお、第１電源制御を行う間隔、すなわち前の起動時刻から次の起動時刻までの時間Ｔ１は、２時間などであり、設定変更可能である。
【００８５】
次に、電源制御部２３は、第３電源ＩＣ１３へ制御信号を出力することにより、時刻情報受信部１７への電力供給を開始する制御を行う（ステップＳ１３）。
【００８６】
次に、時刻情報受信部１７は、たとえば、ＧＰＳ衛星から送信された標準時刻情報を受信し、受信した標準時刻情報を時刻同期部２２へ出力する（ステップＳ１４）。
【００８７】
次に、時刻同期部２２は、時刻情報受信部１７から受けた当該標準時刻情報を用いてＲＴＣ１５の同期処理を行う（ステップＳ１５）。
【００８８】
次に、電源制御部２３は、第３電源ＩＣ１３へ制御信号を出力することにより、時刻情報受信部１７への電力供給を停止する制御を行う（ステップＳ１６）。
【００８９】
次に、電源制御部２３は、第１電源ＩＣ１１へ制御信号を出力することにより、無線通信部２１への電力供給を停止する制御、すなわち無線モジュール１０への電力供給を停止する制御を行う（ステップＳ１７）。無線モジュール１０への電力供給の開始から停止までの時間Ｔ２は、時間Ｔ１より短く、たとえば１分間である。電源制御部２３は、ステップＳ１１〜ステップＳ１７に示す第１電源制御を時間Ｔ１の周期で行う。
【００９０】
なお、電源制御部２３による次の起動時刻の設定（ステップＳ１２）が行われるタイミングは、監視装置１０１の起動の直後に限らず、監視装置１０１の起動から時間Ｔ１が経過するまでに含まれるタイミングであればよい。
【００９１】
また、電源制御部２３による時刻情報受信部１７への電力供給の停止（ステップＳ１６）と、電源制御部２３による無線通信部２１への電力供給の停止（ステップＳ１７）とは、並行して行われてもよい。
【００９２】
（イベント発生時モードにおける動作手順）
図４は、本発明の第１の実施の形態に係る監視システムによるイベント発生時モードにおける動作手順を定めたシーケンスである。
【００９３】
図４を参照して、ここでは、３つの監視装置１０１として、監視装置１０１Ａ，１０１Ｂ，１０１Ｃが設けられているとする。これら３つの監視装置１０１Ａ，１０１Ｂ，１０１Ｃは、管理装置１７１からの起動通知要求の送信前において、省電力モードで動作しているとする。すなわち、監視装置１０１Ａ，１０１Ｂ，１０１Ｃは、定期的に第１電源制御を行い、互いに時刻同期が確立しているとする（ステップＳ２１）。
【００９４】
次に、管理装置１７１は、外部サーバから送信された雷情報を受信したとする（ステップＳ２２）。この場合、管理装置１７１は、たとえば、当該雷情報の示すエリアに含まれる監視装置１０１Ａ，１０１Ｂ，１０１Ｃのうち、収集装置１５１から最も離れた位置に設けられた最端監視装置である監視装置１０１Ａへ、収集装置１５１および監視装置１０１Ｃ，１０１Ｂ経由で起動通知要求を送信する。
【００９５】
このとき、管理装置１７１からの起動通知要求の送信タイミングにおいて監視装置１０１Ａ，１０１Ｂ，１０１Ｃが起動していないとする。この場合、監視装置１０１Ａは、当該起動通知要求を受信することができない（ステップＳ２３）。
【００９６】
次に、監視装置１０１Ａ，１０１Ｂ，１０１Ｃの各々におけるＲＴＣ１５は、対応する電源制御部２３により設定された起動時刻において、第１電源ＩＣ１１へ制御信号を出力することにより、無線モジュール１０への電力供給を開始する制御を行い、起動したとする（ステップＳ２４）。
【００９７】
次に、管理装置１７１は、監視装置１０１Ａへ収集装置１５１および監視装置１０１Ｃ，１０１Ｂ経由で起動通知要求を再び送信する。このとき、監視装置１０１Ａは、監視装置１０１Ａ，１０１Ｂ，１０１Ｃがすべて起動しているため、管理装置１７１から送信された起動通知要求を受信することができる（ステップＳ２５）。
【００９８】
次に、監視装置１０１Ａ，１０１Ｂ，１０１Ｃの各々における電源制御部２３は、無線通信部２１から起動通知要求を受信または転送した旨の通知を受けて、第１電源制御を停止する（ステップＳ２６）。
【００９９】
次に、監視装置１０１Ａ，１０１Ｂ，１０１Ｃの各々における電源制御部２３は、第３電源ＩＣ１３へ制御信号を出力することにより、時刻情報受信部１７への電力供給を開始する制御を行う（ステップＳ２７）。
【０１００】
次に、監視装置１０１Ａ，１０１Ｂ，１０１Ｃの各々における時刻情報受信部１７は、ＧＰＳ衛星から標準時刻情報を受信し、受信した標準時刻情報を時刻同期部２２へ出力する（ステップＳ２８）。
【０１０１】
次に、監視装置１０１Ａ，１０１Ｂ，１０１Ｃの各々における時刻同期部２２は、時刻情報受信部１７から受けた当該標準時刻情報を用いてＲＴＣ１５の同期処理を行う（ステップＳ２９）。
【０１０２】
これにより、監視装置１０１Ａ，１０１Ｂ，１０１Ｃ間でＲＴＣ１５の時刻が同期するため、起動タイミングを合わせることができる。また、監視装置１０１Ａ，１０１Ｂ，１０１Ｃの各々の起動タイミングを合わせることができる構成により、監視装置１０１Ａ，１０１Ｂ，１０１Ｃの各々の起動時間を長く確保することなく、監視装置１０１Ａ，１０１Ｂ，１０１Ｃの各々から送信された計測情報を収集装置１５１へ到達させることができるため、より省電力性を高めることができる。
【０１０３】
次に、監視装置１０１Ａ，１０１Ｂ，１０１Ｃの各々における電源制御部２３は、第３電源ＩＣ１３へ制御信号を出力することにより、時刻情報受信部１７への電力供給を停止する制御を行う（ステップＳ３０）。
【０１０４】
次に、監視装置１０１Ａ，１０１Ｂ，１０１Ｃの各々における電源制御部２３は、たとえば、無線モジュール１０への電力供給の終了時刻である停止時刻をＲＴＣ１５に設定する（ステップＳ３１）。停止時刻は、たとえば起動時刻から２時間後の時刻である。
【０１０５】
次に、監視装置１０１Ａ，１０１Ｂ，１０１Ｃの各々における電源制御部２３は、無線通信部２１により受信された起動通知要求の示す時刻に基づいて、第２電源ＩＣ１２へ制御信号を出力することにより、センサ１６への電力供給を開始する制御を行う（ステップＳ３２）。
【０１０６】
次に、監視装置１０１Ａにおける無線通信部２１は、監視装置１０１Ｂ，１０１Ｃおよび収集装置１５１を経由して起動完了通知を管理装置１７１へ送信する（ステップＳ３３）。
【０１０７】
次に、監視装置１０１Ａ，１０１Ｂ，１０１Ｃの各々におけるセンサ１６は、自己の監視装置１０１が設けられた鉄塔２に接続されている架空地線ＧＷにおける電荷量の分布を計測し、計測結果を無線通信部２１へ出力する。そして、監視装置１０１Ａ，１０１Ｂ，１０１Ｃの各々における無線通信部２１は、対応するセンサ１６から出力された計測結果を示す計測情報を含む無線信号を管理装置１７１へ送信する。
【０１０８】
これにより、たとえば、管理装置１７１の管理者は、管理装置１７１により受信された複数の計測情報に基づいて、架空地線ＧＷにおける電荷量の分布を把握して、架空地線ＧＷへの落雷の有無、および落雷があった場合には落雷箇所の推定を行うことができる。
【０１０９】
なお、監視装置１０１Ａ，１０１Ｂ，１０１Ｃによる計測、および計測情報を含む無線信号の送信は、センサ１６への電力供給が停止されるまで、定期的または不定期に行われる（ステップＳ３４）。
【０１１０】
次に、監視装置１０１Ａ，１０１Ｂ，１０１Ｃの各々における電源制御部２３は、次の起動時刻をＲＴＣ１５に設定する（ステップＳ３５）。
【０１１１】
次に、監視装置１０１Ａ，１０１Ｂ，１０１Ｃの各々における電源制御部２３は、たとえば無線通信部２１により受信された起動通知要求の示す時刻に基づいて、第２電源ＩＣ１２へ制御信号を出力することにより、センサ１６への電力供給を停止する制御を行う（ステップＳ３６）。
【０１１２】
次に、監視装置１０１Ａ，１０１Ｂ，１０１Ｃの各々における電源制御部２３は、第１電源ＩＣ１１へ制御信号を出力することにより、無線通信部２１への電力供給を停止する制御、すなわち無線モジュール１０への電力供給を停止する制御を行う（ステップＳ３７）。
【０１１３】
次に、各監視装置１０１における電源制御部２３は、第１電源制御を再開する（ステップＳ３８）。
【０１１４】
なお、電源制御部２３は、センサ１６への電力供給の停止（ステップＳ３６）と、無線通信部２１への電力供給の停止（ステップＳ３７）とを並行して行ってもよい。
【０１１５】
また、外部サーバは、たとえば、落雷が予想されるエリアおよび期間などが変更された場合、新たな雷情報を管理装置１７１へ送信する。
【０１１６】
管理装置１７１は、外部サーバから送信された新たな雷情報を受信すると、たとえば、当該雷情報の示す期間の終了時刻と、前回受信した雷情報の示す期間の開始時刻との差が所定時間を超えるか否かを確認する。所定時間は、たとえば２時間である。
【０１１７】
そして、管理装置１７１は、当該差が所定時間を超える場合、新たな雷情報の示すエリアに含まれる最端監視装置１０１へ、１または複数の監視装置１０１および収集装置１５１経由で新たな起動通知要求を送信する。一方、管理装置１７１は、当該差が所定時間を超えない場合、新たな起動通知要求の送信を行わない。
【０１１８】
各監視装置１０１における電源制御部２３は、自己の監視装置１０１における無線通信部２１が管理装置１７１から送信された新たな起動通知要求を受信または転送した場合、たとえば、新たな起動通知要求の示す時刻に基づいて、センサ１６への電力供給を停止する制御を行う。
【０１１９】
ところで、たとえば、電力系統の電線に関する監視を行う監視装置が鉄塔に設置される場合、太陽光発電装置を電源として搭載すると多くのコストがかかり、また、送電線から監視装置への電力を供給することは困難である。
【０１２０】
このため、監視装置に電池を搭載することが考えられる。電池の交換頻度を低くするために、監視装置の消費電力を効果的に抑えることができる技術が望まれる。
【０１２１】
これに対して、本発明の第１の実施の形態に係る監視装置１０１では、無線通信部２１は、電池１４からの電力供給を受けて動作し、情報を転送する。時刻同期部２２は、電池１４からの電力供給を受けて動作し、他の監視装置１０１と時刻同期するための同期処理を行う。電源制御部２３は、電池１４からの電力供給を受けて動作し、無線通信部２１への電力供給の開始および停止を制御する。また、電源制御部２３は、無線通信部２１への電力供給を開始し、かつ第１の所定時間経過後に電力供給を停止する第１電源制御を定期的に行う。
【０１２２】
このように、無線通信部２１への電力供給を停止する制御を行う構成により、たとえば、待機電力を要するスリープモードで動作する場合と比較して、多くの消費電力を抑えることができる。また、互いに時刻同期が確立している複数の監視装置１０１間において無線通信部２１への電力供給期間を合わせることができるため、各監視装置１０１における無線通信部２１への電力供給期間が無駄に確保されることを抑制し、各監視装置１０１からの計測情報を管理装置１７１へ到達させることができる。
【０１２３】
したがって、本発明の第１の実施の形態に係る、電力系統に用いられる監視装置１０１では、消費電力を効果的に抑えることができる。
【０１２４】
また、本発明の第１の実施の形態に係る監視装置１０１は、電池１４からの電力供給を受けて動作し、かつ計測結果を示す計測情報を出力するセンサ１６を備える。また、電源制御部２３は、センサ１６への電力供給の開始および停止を制御する。また、電源制御部２３は、センサ１６への電力供給を開始し、かつ第２の所定時間経過後に電力供給を停止する第２電源制御を行う。
【０１２５】
このように、センサ１６への電力供給を停止する制御を行う構成により、より一層効果的に消費電力を抑えることができる。
【０１２６】
また、本発明の第１の実施の形態に係る監視装置１０１では、電源制御部２３は、第１電源制御によって無線通信部２１への電力供給が行われている期間の一部または全部において第２電源制御を行う。
【０１２７】
このような構成により、センサ１６の計測結果を示す計測情報をリアルタイムに送信することができる。
【０１２８】
また、本発明の第１の実施の形態に係る監視装置１０１では、電源制御部２３は、無線通信部２１が所定情報を受信した場合、第１電源制御を停止して無線通信部２１への電力供給を継続的に行い、かつ当該所定情報に基づく時刻においてセンサ１６への電力供給を開始する制御を行う。
【０１２９】
このような構成により、たとえば落雷が予想される場合など、センサ１６による計測結果の必要性が高い状況において、センサ１６への電力供給を適切なタイミングで開始させることができる。
【０１３０】
また、本発明の第１の実施の形態に係る監視装置１０１では、電源制御部２３は、上記所定情報に基づく時刻において無線通信部２１およびセンサ１６への電力供給を停止する制御を行い、第１電源制御を再開する。
【０１３１】
このような構成により、たとえば落雷が予想される期間が経過した場合など、センサ１６による計測結果の必要性が低くなった状況において、センサ１６への電力供給を適切なタイミングで停止させ、再び消費電力を効果的に抑えることができる。
【０１３２】
［変形例］
図５は、本発明の第１の実施の形態の変形例に係る監視装置の構成を示す図である。
【０１３３】
図５を参照して、本発明の第１の実施の形態の変形例に係る監視装置１０２は、図２に示す監視装置１０１と比較して、さらに、保持部３２と、第４電源ＩＣ３３とを備える。保持部３２は、無線モジュール１０に含まれる。
【０１３４】
時刻同期部３１に対して、電源制御部２３とは別に電力供給制御を行うことが可能である。具体的には、監視装置１０２は、図２に示す監視装置１０１と比較して、時刻同期部２２の代わりに、電源制御部２３に接続され、電源制御部２３とは別個のデバイスである時刻同期部３１を備える。
【０１３５】
第４電源ＩＣ３３は、たとえば、時刻同期部３１と電池１４との接続状態を切り替えるスイッチを含む。
【０１３６】
電源制御部２３は、第１電源制御によって無線通信部２１への電力供給が行われている期間において、時刻同期部３１への電力供給を開始し、かつ時刻同期部３１による同期処理が終了すると時刻同期部３１への電力供給を停止する制御を行う。
【０１３７】
より詳細には、保持部３２は、時刻同期部３１による同期処理が行われた同期処理時刻を保持する。
【０１３８】
電源制御部２３は、無線通信部２１への電力供給の開始後、保持部３２に保持されている同期処理時刻を確認する。そして、電源制御部２３は、現在時刻が同期処理時刻から所定時間以上経過している場合、第３電源ＩＣ１３および第４電源ＩＣ３３へ制御信号を出力する。
【０１３９】
第３電源ＩＣ１３は、電源制御部２３から出力された制御信号を受けて、電池１４と時刻情報受信部１７とを接続することにより時刻情報受信部１７への電力供給を開始する。
【０１４０】
第４電源ＩＣ３３は、電源制御部２３から出力された制御信号を受けて、電池１４と時刻同期部３１とを接続することにより時刻同期部３１への電力供給を開始する。
【０１４１】
時刻情報受信部１７は、電池１４からの電源供給を受けて、たとえば、ＧＰＳ衛星から送信された標準時刻情報を受信し、受信した標準時刻情報を時刻同期部３１へ出力する。なお、時刻情報受信部１７は、標準時刻情報の代わりに、他の監視装置１０２から送信された時刻情報を受信して、受信した時刻情報を時刻同期部３１へ出力してもよい。
【０１４２】
時刻同期部３１は、時刻情報受信部１７から出力された標準時刻情報を受けて、当該標準時刻情報を用いてＲＴＣ１５の同期処理を行う。
【０１４３】
電源制御部２３は、時刻同期部３１による同期処理が行われた後、第３電源ＩＣ１３および第４電源ＩＣ３３へ制御信号を出力する。
【０１４４】
第３電源ＩＣ１３は、電源制御部２３から出力された制御信号を受けて、電池１４と時刻情報受信部１７との接続を切断することにより時刻情報受信部１７への電力供給を停止する。
【０１４５】
第４電源ＩＣ３３は、電源制御部２３から出力された制御信号を受けて、電池１４と時刻同期部３１との接続を切断することにより時刻同期部３１への電力供給を停止する。
【０１４６】
一方、電源制御部２３は、現在時刻が保持部３２に保持されている同期処理時刻から所定時間経過していない場合、時刻情報受信部１７および時刻同期部３１への電力供給を開始する制御を行わない。
【０１４７】
なお、監視装置１０２は、保持部３２を備えない構成であってもよい。この場合、電源制御部２３は、たとえば、第１電源制御によって無線通信部２１への電力供給が行われるたびに、時刻同期部３１への電力供給を開始し、かつ時刻同期部３１による同期処理が終了すると時刻同期部３１への電力供給を停止する制御を行う。
【０１４８】
上記のように、本発明の第１の実施の形態の変形例に係る監視装置１０１では、時刻同期部３１に対して、電源制御部２３とは別に電力供給制御を行うことが可能である。具体的には、電源制御部２３は、第１電源制御によって無線通信部２１への電力供給が行われている期間において、時刻同期部３１への電力供給を開始し、かつ同期処理が終了すると時刻同期部３１への電力供給を停止する制御を行う。
【０１４９】
このように、時刻同期部３１による同期処理が行われる期間を除く期間において時刻同期部３１への電力供給を停止する制御を行う構成により、より一層効果的に消費電力を抑えることができる。
【０１５０】
また、本発明の第１の実施の形態の変形例に係る監視装置１０１では、保持部３２は、同期処理が行われた同期処理時刻を保持する。電源制御部２３は、同期処理時刻から所定時間経過している場合に時刻同期部３１への電力供給を開始する制御を行う。
【０１５１】
このような構成により、前回の同期処理から所定時間経過していない場合には、時刻同期部３１への電力供給を開始しないため、より一層効果的に消費電力を抑えることができる。
【０１５２】
なお、本発明の第１の実施の形態の変形例に係る監視装置１０１では、監視装置１０２は、電源制御部２３を含む無線モジュール１０に接続され、かつ電源制御部２３とは別個のデバイスである時刻同期部３１を備える構成であるとしたが、これに限定するものではない。たとえば、時刻同期部３１および第４電源ＩＣ３３が無線モジュール１０に含まれる構成であってもよい。
【０１５３】
次に、本発明の他の実施の形態について図面を用いて説明する。なお、図中同一または相当部分には同一符号を付してその説明は繰り返さない。
【０１５４】
＜第２の実施の形態＞
再び図２を参照して、上述した本発明の第１の実施の形態に係る監視装置１０１では、電源制御部２３は、無線通信部２１が所定情報、具体的には起動通知要求を受信した場合に第１電源制御を停止し、センサ１６への電力供給を開始する制御を行う。
【０１５５】
これに対して、本発明の第２の実施の形態に係る監視装置１０３では、電源制御部２３は、センサ２６への電力供給を開始し、かつ所定時間経過後にセンサ２６への電力供給を停止する第２電源制御を定期的または不定期に行う。
【０１５６】
［構成および基本動作］
監視装置１０３は、監視装置１０１と比較して、センサ１６の代わりに、センサ２６を備える。センサ２６は、自己の監視装置１０３が設けられた鉄塔２の傾きを計測するための加速度センサ、電力系統の温度監視に用いられる温度を計測するためのセンサ、または地面上の積雪の深さを計測するためのセンサなどである。
【０１５７】
たとえば、監視装置１０１が送電線に設置される場合、センサ２６は、送電線の温度監視に用いられる温度、または送電線の弛み等による傾きを計測する。
【０１５８】
また、監視装置１０１が架空地線ＧＷに設置される場合、センサ２６は、たとえば、架空地線ＧＷの温度監視に用いられる温度、または架空地線ＧＷの弛み等による傾きを計測する。
【０１５９】
また、監視装置１０１が鉄塔２の周辺の地面に設置される場合、センサ２６は、たとえば、地面の傾き、地面の振動、または地面上の積雪の深さを計測する。
【０１６０】
監視装置１０１におけるセンサ２６の計測対象およびセンサ２６の種類は、適宜設定される。
【０１６１】
電源制御部２３は、たとえば、第１電源制御によって無線通信部２１への電力供給が行われている期間の一部または全部において第２電源制御を行う。
【０１６２】
より詳細には、電源制御部２３は、電池１４から無線モジュール１０への電力供給の開始後、第２電源ＩＣ１２および第３電源ＩＣ１３へ制御信号を出力することにより、センサ２６および時刻情報受信部１７への電力供給を開始する制御を行う。
【０１６３】
時刻情報受信部１７は、電池１４からの電力供給を受けて、たとえば、ＧＰＳ衛星から送信された標準時刻情報を受信し、受信した標準時刻情報を時刻同期部２２へ出力する。時刻同期部２２は、時刻情報受信部１７から受けた当該標準時刻情報を用いてＲＴＣ１５の同期処理を行う。
【０１６４】
センサ２６は、電池１４からの電力供給を受けて、たとえば、自己の監視装置１０３が設けられた鉄塔２の加速度を計測し、計測結果を無線通信部２１へ出力する。
【０１６５】
無線通信部２１は、センサ２６から出力された計測結果を示す計測情報を含む無線信号を生成し、生成した無線信号を１または複数の他の監視装置１０３および収集装置１５１経由で管理装置１７１へ送信する。なお、鉄塔２ａに設けられた監視装置１０１における無線通信部２１は、無線信号を収集装置１５１経由で管理装置１７１へ送信する。
【０１６６】
また、電源制御部２３は、時刻同期部２２による同期処理が行われた後、第２電源ＩＣ１２および第３電源ＩＣ１３へ制御信号を出力することにより、センサ２６および時刻情報受信部１７への電力供給を停止する制御を行う。
【０１６７】
また、電源制御部２３は、センサ２６および時刻情報受信部１７への電力供給の停止後、第１電源ＩＣ１１へ制御信号を出力することにより、無線通信部２１への電力供給を停止する制御、すなわち無線モジュール１０への電力供給を停止する制御を行う。
【０１６８】
なお、電源制御部２３は、第１電源制御によって無線通信部２１への電力供給が行われている期間の全部において第２電源制御を行う構成であってもよい。すなわち、電源制御部２３は、無線モジュール１０への電力供給を停止するタイミングにおいて、センサ２６への電力供給を停止する制御を行ってもよい。
【０１６９】
また、第２電源制御によってセンサ２６への電力供給が行われている期間の一部は、第１電源制御によって無線通信部２１への電力供給が行われている期間に含まれなくてもよい。
【０１７０】
また、無線通信部２１は、計測結果が閾値以上の値である場合など、計測結果が所定条件を満たす場合に、当該計測結果を示す計測情報を含む無線信号を送信する構成であってもよい。
【０１７１】
［動作の流れ］
図６は、本発明の第２の実施の形態に係る監視装置による電源制御の動作手順を定めたフローチャートである。
【０１７２】
図６を参照して、まず、ＲＴＣ１５は、電源制御部２３により設定された起動時刻において、第１電源ＩＣ１１へ制御信号を出力することにより、無線モジュール１０への電力供給を開始する制御を行う（ステップＳ５１）。
【０１７３】
次に、電源制御部２３は、次の起動時刻をＲＴＣ１５に設定する（ステップＳ５２）。
【０１７４】
次に、電源制御部２３は、たとえば、第２電源ＩＣ１２および第３電源ＩＣ１３へ制御信号を出力することにより、センサ１６および時刻情報受信部１７への電力供給を開始する制御を行う（ステップＳ５３）。
【０１７５】
次に、時刻情報受信部１７は、たとえばＧＰＳ衛星から送信された標準時刻情報を受信し、受信した標準時刻情報を時刻同期部２２へ出力する（ステップＳ５４）。
【０１７６】
次に、時刻同期部２２は、時刻情報受信部１７から受けた当該標準時刻情報を用いてＲＴＣ１５の同期処理を行う（ステップＳ５５）。
【０１７７】
次に、センサ２６は、たとえば自己の監視装置１０３が設けられた鉄塔２の加速度を計測し、計測結果を無線通信部２１へ出力する（ステップＳ５６）。
【０１７８】
次に、無線通信部２１は、センサ２６から出力された計測結果を示す計測情報を含む無線信号を、たとえば、１または複数の他の監視装置１０１および収集装置１５１を経由して管理装置１７１へ送信する（ステップＳ５７）。
【０１７９】
次に、電源制御部２３は、たとえば、第２電源ＩＣ１２および第３電源ＩＣ１３へ制御信号を出力することにより、センサ２６および時刻情報受信部１７への電力供給を停止する制御を行う（ステップＳ５８）。
【０１８０】
次に、電源制御部２３は、第１電源ＩＣ１１へ制御信号を出力することにより、無線モジュール１０への電力供給を停止する制御を行う（ステップＳ５９）。電源制御部２３は、ステップＳ５１〜ステップＳ５９に示す制御を時間Ｔ１の周期で行う。
【０１８１】
なお、センサ２６への電力供給の開始タイミングと、時刻情報受信部１７への電力供給の開始タイミングとは、異なるタイミングであってもよい。また、センサ２６への電力供給の停止タイミングと、時刻情報受信部１７への電力供給の停止タイミングとは、異なるタイミングであってもよい。
【０１８２】
上記のように、本発明の第２の実施の形態に係る監視装置１０３では、電源制御部２３は、センサ２６への電力供給の開始および停止を制御する。また、電源制御部２３は、センサ２６への電力供給を開始し、かつ所定時間経過後に電力供給を停止する第２電源制御を行う。
【０１８３】
このように、センサ２６への電力供給を停止する制御を行う構成により、より一層効果的に消費電力を抑えることができる。
【０１８４】
また、本発明の第２の実施の形態に係る監視装置１０３では、電源制御部２３は、第１電源制御によって無線通信部２１への電力供給が行われている期間の一部または全部において第２電源制御を行う。
【０１８５】
このような構成により、センサ２６の計測結果を示す計測情報をリアルタイムに送信することができる。
【０１８６】
その他の構成および動作は、上述した本発明の第１の実施の形態に係る監視装置１０１と同様であるため、ここでは詳細な説明を繰り返さない。
【０１８７】
なお、本発明の第１の実施の形態および第２の実施の形態に係る監視装置は、電池１４を備える構成であるとしたが、これに限定するものではない。たとえば、電池１４は、監視装置の外部に設けられる構成であってもよい。
【０１８８】
また、本発明の第１の実施の形態に係る監視装置は、センサ１６を備え、第２の実施の形態に係る監視装置は、センサ２６を備える構成であるとしたが、これに限定するものではない。たとえば、センサ１６，２６は、監視装置の外部に設けられ、監視装置と接続される構成であってもよい。
【０１８９】
また、本発明の第１の実施の形態および第２の実施の形態に係る監視装置は、無線通信を行う構成であるとしたが、これに限定するものではない。たとえば、監視装置は、地中ケーブルを介したＰＬＣ通信を行う構成であってもよい。
【０１９０】
たとえば、監視装置は、無線通信部２１の代わりに、以下のＰＬＣ通信部を備える構成であってもよい。具体的には、たとえば、ＰＬＣ通信部は、地中ケーブルの遮蔽層と電磁結合する電磁結合部と、当該遮蔽層を介して通信情報を伝送する通信部とを含む。当該通信部は、上記電磁結合部の電磁結合により上記遮蔽層を通して流れる誘導電流である通信誘導電流を用いて、上記通信情報を伝送する。
【０１９１】
上記実施の形態は、すべての点で例示であって制限的なものではないと考えられるべきである。本発明の範囲は、上記説明ではなく請求の範囲によって示され、請求の範囲と均等の意味および範囲内でのすべての変更が含まれることが意図される。
【０１９２】
以上の説明は、以下に付記する特徴を含む。
［付記１］
電力系統に用いられる監視装置であって、
電池からの電力供給を受けて動作するセンサと、
電池からの電力供給を受けて動作し、情報を転送する通信部と、
電池からの電力供給を受けて動作し、他の前記監視装置と時刻同期するための同期処理を行う時刻同期部と、
電池からの電力供給を受けて動作し、前記通信部への電力供給の開始および停止を制御する電源制御部とを備え、
前記電源制御部は、前記通信部への電力供給を開始し、かつ所定時間経過後に前記電力供給を停止する第１電源制御を定期的に行い、
前記センサは、鉄塔に接続されている架空地線における電荷量、または前記鉄塔の傾きを検出するための加速度を計測し、
前記時刻同期部は、ＧＰＳ衛星から送信された標準時刻情報を用いて前記同期処理を行い、
前記電源制御部が前記第１電源制御を行う間隔は、前記所定時間より長い、監視装置。
【符号の説明】
【０１９３】
２，２ａ  鉄塔
１０  無線モジュール
１１  第１電源ＩＣ
１２  第２電源ＩＣ
１３  第３電源ＩＣ
１４  電池
１５  ＲＴＣ
１６，２６  センサ
１７  時刻情報受信部
２１  無線通信部
２２，３１  時刻同期部
２３  電源制御部
３２  保持部
３３  第４電源ＩＣ
１０１，１０１Ａ，１０１Ｂ，１０１Ｃ，１０２，１０３  監視装置
１５１  収集装置
１７１  管理装置
３０１  監視システム
【図１】
2020021802.tif 000003
【図２】
2020021802.tif 000004
【図３】
2020021802.tif 000005
【図４】
2020021802.tif 000006
【図５】
2020021802.tif 000007
【図６】
2020021802.tif 000008
【国際調査報告】
2020021802.tif 000009
2020021802.tif 000010